(57)【特許請求の範囲】
【請求項１】
被変調波信号から受信感度を検出する受信感度検出装置であって、
前記被変調波信号の搬送周波数を含み所定の低い周波数範囲までを通過帯域幅として有し、前記被変調波信号から該通過帯域幅内の下側信号成分を抽出する下側狭帯域フィルタ手段と、
前記被変調波信号の搬送周波数を含み所定の高い周波数範囲までを通過帯域幅として有し、前記被変調波信号から該通過帯域幅内の上側信号成分を抽出する上側狭帯域フィルタ手段と、
前記下側信号成分のエンベロープを検出する下側エンベロープ検出手段と、
前記上側信号成分のエンベロープを検出する上側エンベロープ検出手段と、
前記下側エンベロープ検出手段で検出される下側エンベロープ信号をピークホールドすることで平滑信号を生成する第１のピークホールド手段と、
前記上側エンベロープ検出手段で検出される上側エンベロープ信号をピークホールドすることで平滑信号を生成する第２のピークホールド手段と、
前記第１，第２のピークホールド手段で生成される平滑信号のうち、レベルの小さい平滑信号を選択して受信感度を示す受信感度信号を生成するセレクタ手段と、
を具備することを特徴とする受信感度検出装置。
【請求項２】
被変調波信号から受信感度を検出する受信感度検出装置であって、
前記被変調波信号の搬送周波数を含み所定の低い周波数範囲までを通過帯域幅として有し、前記被変調波信号から該通過帯域幅内の下側信号成分を抽出する下側狭帯域フィルタ手段と、
前記被変調波信号の搬送周波数を含み所定の高い周波数範囲までを通過帯域幅として有し、前記被変調波信号から該通過帯域幅内の上側信号成分を抽出する上側狭帯域フィルタ手段と、
前記下側信号成分のエンベロープを検出する下側エンベロープ検出手段と、
前記上側信号成分のエンベロープを検出する上側エンベロープ検出手段と、
前記下側エンベロープ検出手段で検出される下側エンベロープ信号と前記上側エンベロープ検出手段で検出される上側エンベロープ信号とのレベルを比較し、前記下側エンベロープ信号のレベルが前記上側エンベロープ信号のレベルより大きいとき、前記下側エンベロープ信号を第１の前置信号とし、前記下側エンベロープ信号のレベルが前記上側エンベロープ信号のレベルより小さいとき、基底レベルの第１の前置信号を生成する第１の前段セレクタ手段と、
前記下側エンベロープ検出手段で検出される下側エンベロープ信号と前記上側エンベロープ検出手段で検出される上側エンベロープ信号とのレベルを比較し、前記上側エンベロープ信号のレベルが前記下側エンベロープ信号のレベルより大きいとき、前記上側エンベロープ信号を第２の前置信号とし、前記上側エンベロープ信号のレベルが前記下側エンベロープ信号のレベルより小さいとき、基底レベルの第２の前置信号を生成する第２の前段セレクタ手段と、
前記第１の前段セレクタ手段で生成される前記第１の前置信号を高速充電低速放電することで平滑信号を生成する第１の高速充電低速放電手段と、
前記第２の前段セレクタ手段で生成される前記第２の前置信号を高速充電低速放電することで平滑信号を生成する第２の高速充電低速放電手段と、
前記第１，第２の高速充電低速放電手段で生成される平滑信号のうち、レベルの小さい平滑信号を選択して受信感度を示す受信感度信号を生成する後段セレクタ手段と、
を具備することを特徴とする受信感度検出装置。
【請求項３】
請求項１又は２に記載の受信感度検出装置により生成される前記受信感度信号に従って、前記被変調波信号に基づいて検波された検波出力に対し自動受信制御を行う自動受信制御手段、
を具備することを特徴とする受信装置。
【請求項４】
被変調波信号から受信感度を検出する受信感度検出方法であって、
前記被変調波信号の搬送周波数を含み所定の低い周波数範囲までを通過帯域幅として、前記被変調波信号から該通過帯域幅内の下側信号成分を抽出する下側狭帯域フィルタ工程と、
前記被変調波信号の搬送周波数を含み所定の高い周波数範囲までを通過帯域幅として、前記被変調波信号から該通過帯域幅内の上側信号成分を抽出する上側狭帯域フィルタ工程と、
前記下側信号成分のエンベロープを検出する下側エンベロープ検出工程と、
前記上側信号成分のエンベロープを検出する上側エンベロープ検出工程と、
前記下側エンベロープ検出工程で検出される下側エンベロープ信号をピークホールドすることで平滑信号を生成する第１のピークホールド工程と、
前記上側エンベロープ検出工程で検出される上側エンベロープ信号をピークホールドすることで平滑信号を生成する第２のピークホールド工程と、
前記第１，第２のピークホールド工程で生成される平滑信号のうち、レベルの小さい平滑信号を選択して受信感度を示す受信感度信号を生成するセレクタ手段と、
を備えることを特徴とする受信感度検出方法。
【請求項５】
被変調波信号から受信感度を検出する受信感度検出方法であって、
前記被変調波信号の搬送周波数を含み所定の低い周波数範囲までを通過帯域幅とし、前記被変調波信号から該通過帯域幅内の下側信号成分を抽出する下側狭帯域フィルタ工程と、
前記被変調波信号の搬送周波数を含み所定の高い周波数範囲までを通過帯域幅とし、前記被変調波信号から該通過帯域幅内の上側信号成分を抽出する上側狭帯域フィルタ工程と、
前記下側信号成分のエンベロープを検出する下側エンベロープ検出工程と、
前記上側信号成分のエンベロープを検出する上側エンベロープ検出工程と、
前記下側エンベロープ検出工程で検出される下側エンベロープ信号と前記上側エンベロープ検出工程で検出される上側エンベロープ信号とのレベルを比較し、前記下側エンベロープ信号のレベルが前記上側エンベロープ信号のレベルより大きいとき、前記下側エンベロープ信号を第１の前置信号とし、前記下側エンベロープ信号のレベルが前記上側エンベロープ信号のレベルより小さいとき、基底レベルの第１の前置信号を生成する第１の前段セレクタ工程と、
前記下側エンベロープ検出工程で検出される下側エンベロープ信号と前記上側エンベロープ検出工程で検出される上側エンベロープ信号とのレベルを比較し、前記上側エンベロープ信号のレベルが前記下側エンベロープ信号のレベルより大きいとき、前記上側エンベロープ信号を第２の前置信号とし、前記上側エンベロープ信号のレベルが前記下側エンベロープ信号のレベルより小さいとき、基底レベルの第２の前置信号を生成する第２の前段セレクタ工程と、
前記第１の前段セレクタ工程で生成される前記第１の前置信号を高速充電低速放電することで平滑信号を生成する第１の高速充電低速放電工程と、
前記第２の前段セレクタ工程で生成される前記第２の前置信号を高速充電低速放電することで平滑信号を生成する第２の高速充電低速放電工程と、
前記第１，第２の高速充電低速放電工程で生成される平滑信号のうち、レベルの小さい平滑信号を選択して受信感度を示す受信感度信号を生成する後段セレクタ工程と、
を具えることを特徴とする受信感度検出方法。
【請求項６】
請求項４又は５に記載の受信感度検出方法により生成される前記受信感度信号に従って、前記被変調波信号に基づいて検波された検波出力に対し自動受信制御を行う自動受信制御工程、
を備えることを特徴とする受信方法。
【発明の詳細な説明】
【技術分野】
【０００１】
本発明は、例えば無線放送等の電波の受信感度を被変調波信号から検出する受信感度検出装置と受信装置に関する。
【背景技術】
【０００２】
従来、受信感度(Receive Sensitivity)の変化に応じて検波出力のレベルを調整することにより、ノイズ抑制効果が得られるようにしたＦＭ受信装置が提案されている（特許文献１参照）。【０００３】
図１（ａ）は、この従来のＦＭ受信装置の基本構成を示したブロック図であり、到来電波をフロントエンド部で中間周波信号に周波数変換した後、中間周波フィルタ及び増幅部で帯域制限と増幅処理を施すことにより、所望の周波数帯域の中間周波信号（ＩＦ信号）にし、そのＩＦ信号を検波部が検波することで生じる検波出力をアンプに通して出力するようになっている。【０００４】
更に、受信感度検出手段としての整流平滑部が、中間周波フィルタ及び増幅部で生成される上述のＩＦ信号ａを整流平滑することによって、受信感度を示すＳメータ信号ｂを生成し、このＳメータ信号ｂの電圧レベルに従って上述のアンプの増幅率を自動調整することで、検波出力のレベルを調整している。【０００５】
かかる構成のＦＭ受信装置によると、図１（ｂ）（ｃ）に模式的に示すように、ＩＦ信号ａの振幅が到来電波の受信電界強度に応じたレベルとなり、Ｓメータ信号ｂもＩＦ信号ａの振幅に応じた電圧レベルとなることから、Ｓメータ信号ｂの電圧レベルに従ってアンプの増幅率を自動調整すると、Ｓ／Ｎ比の良い検波出力ｃを出力することができるとされている。【０００６】
【特許文献１】特開平８−１８４６８号公報
【発明の開示】
【発明が解決しようとする課題】
【０００７】
ところが、上記従来のＦＭ受信装置では、ＩＦ信号の占有周波数帯域内に隣接妨害波が侵入すると、Ｓメータ信号の電圧レベルがその妨害波の影響によって変動してしまい、受信感度を正確に検出することができなくなるという問題がある。【０００８】
すなわち、例えば我が国のＦＭ放送では、受信周波数帯のなかで各放送局のチャンネル周波数帯域が約１００ｋＨｚごとに隔てて割り当てられているのに対し、ＦＭ放送を受信するＦＭ受信装置内の中間周波フィルタの帯域幅が、図１（ｄ）に模式的に示すように、中心周波数（搬送周波数）ｆoを中心として約±１００ｋＨｚ程度に設計されており、±７５ｋＨｚの周波数を最大周波数偏移としてＦＭ変調されているＩＦ信号（被変調波）をＦＭ検波することで、音声再生ができるようになっている。【０００９】
そして、予め決められている受信エリア内での混信を防止するため、夫々所定の受信エリア内の放送局のチャンネル周波数帯域は２００ｋＨｚ以上隔てた周波数に決められているが、その受信エリアの外の受信エリア（他の受信エリア）内に位置する放送局からの放送波を遠距離受信する場合等では、約±１００ｋＨｚ離れた放送局の放送波を受信することとなる場合があり、図１（ｅ）に例示するように、その隣接している放送波の中間周波数成分が隣接妨害波ＮＺＬやＮＺＵとなって、ＩＦ信号の占有周波数帯域内に侵入する。【００１０】
このため、従来のＦＭ受信装置に設けられている受信感度検出手段としての整流平滑部によって、隣接妨害波が混入したＩＦ信号を整流平滑すると、希望波本来の受信感度を正確に検出できなくなる。【００１１】
また、一般に受信感度は、受信装置内の様々な処理回路で利用される重要なパラメータであることから、隣接妨害の影響を抑制し、正確なＳメータ信号を生成することが重要となっている。【００１２】
本発明は、このような従来の問題に鑑みてなされたものであり、隣接妨害の影響を抑制して、受信感度を正確に検出する受信感度検出装置を提供することを目的とする。【００１３】
また、正確に検出した受信感度に基づいてノイズ抑制効果の向上を図る受信装置を提供することを目的とする。
【課題を解決するための手段】
【００１４】
請求項１に記載の発明は、被変調波信号から受信感度を検出する受信感度検出装置であって、前記被変調波信号の搬送周波数を含み所定の低い周波数範囲までを通過帯域幅として有し、前記被変調波信号から該通過帯域幅内の下側信号成分を抽出する下側狭帯域フィルタ手段と、 前記被変調波信号の搬送周波数を含み所定の高い周波数範囲までを通過帯域幅として有し、前記被変調波信号から該通過帯域幅内の上側信号成分を抽出する上側狭帯域フィルタ手段と、前記下側信号成分のエンベロープを検出する下側エンベロープ検出手段と、前記上側信号成分のエンベロープを検出する上側エンベロープ検出手段と、前記下側エンベロープ検出手段で検出される下側エンベロープ信号をピークホールドすることで平滑信号を生成する第１のピークホールド手段と、前記上側エンベロープ検出手段で検出される上側エンベロープ信号をピークホールドすることで平滑信号を生成する第２のピークホールド手段と、前記第１，第２のピークホールド手段で生成される平滑信号のうち、レベルの小さい平滑信号を選択して受信感度を示す受信感度信号を生成するセレクタ手段と、を具備することを特徴とする。【００１５】
請求項２に記載の発明は、被変調波信号から受信感度を検出する受信感度検出装置であって、前記被変調波信号の搬送周波数を含み所定の低い周波数範囲までを通過帯域幅として有し、前記被変調波信号から該通過帯域幅内の下側信号成分を抽出する下側狭帯域フィルタ手段と、 前記被変調波信号の搬送周波数を含み所定の高い周波数範囲までを通過帯域幅として有し、前記被変調波信号から該通過帯域幅内の上側信号成分を抽出する上側狭帯域フィルタ手段と、前記下側信号成分のエンベロープを検出する下側エンベロープ検出手段と、前記上側信号成分のエンベロープを検出する上側エンベロープ検出手段と、前記下側エンベロープ検出手段で検出される下側エンベロープ信号と前記上側エンベロープ検出手段で検出される上側エンベロープ信号とのレベルを比較し、前記下側エンベロープ信号のレベルが前記上側エンベロープ信号のレベルより大きいとき、前記下側エンベロープ信号を第１の前置信号とし、前記下側エンベロープ信号のレベルが前記上側エンベロープ信号のレベルより小さいとき、基底レベルの第１の前置信号を生成する第１の前段セレクタ手段と、前記下側エンベロープ検出手段で検出される下側エンベロープ信号と前記上側エンベロープ検出手段で検出される上側エンベロープ信号とのレベルを比較し、前記上側エンベロープ信号のレベルが前記下側エンベロープ信号のレベルより大きいとき、前記上側エンベロープ信号を第２の前置信号とし、前記上側エンベロープ信号のレベルが前記下側エンベロープ信号のレベルより小さいとき、基底レベルの第２の前置信号を生成する第２の前段セレクタ手段と、前記第１の前段セレクタ手段で生成される前記第１の前置信号を高速充電低速放電することで平滑信号を生成する第１の高速充電低速放電手段と、前記第２の前段セレクタ手段で生成される前記第２の前置信号を高速充電低速放電することで平滑信号を生成する第２の高速充電低速放電手段と、前記第１，第２の高速充電低速放電手段で生成される平滑信号のうち、レベルの小さい平滑信号を選択して受信感度を示す受信感度信号を生成する後段セレクタ手段と、を具備することを特徴とする。【００１６】
請求項３に記載の発明は、受信装置であって、請求項１又は２に記載の受信感度検出装置により生成される前記受信感度信号に従って、前記被変調波信号に基づいて検波された検波出力に対し自動受信制御を行う自動受信制御手段、を具備することを特徴とする。
【図面の簡単な説明】
【００１７】
【図１】従来の受信感度検出装置の構成を表したブロック図及び機能を説明するための説明図である。
【図２】実施形態に係る受信感度検出装置の構成を表したブロック図及び機能を説明するための説明図である。
【図３】実施例に係る受信感度検出装置及び受信装置の構成を表したブロック図である。
【図４】図３に示した受信感度検出装置の機能を説明するための説明図である。
【図５】図３に示した受信感度検出装置の動作例するための波形図である。
【図６】更に図３に示した受信感度検出装置の動作例するための波形図である。
【発明を実施するための最良の形態】
【００１８】
本発明の好適な実施形態について図２を参照して説明する。図２（ａ）は、本実施形態の受信感度検出装置の構成を表したブロック図、図２（ｂ）〜（ｅ）は、中間周波フィルタと後述の下側狭帯域フィルタ及び上側狭帯域フィルタの周波数特性を模式的に表した説明図である。【００１９】
図２（ａ）において、この受信感度検出装置１は、下側狭帯域フィルタ２と、上側狭帯域フィルタ３、エンベロープ検出部４，５、ピークホールド部６，７と、セレクタ部８を備えて構成され、ＦＭ受信装置に設けられている中間周波フィルタ（図示略）によって所定の帯域幅Ｗで帯域制限された被変調波信号（ＩＦ信号）ＳIFから、受信感度を示す受信感度信号（以下、「Ｓメータ信号」と称する）ＳＭＴを生成して出力する。【００２０】
すなわち、ＦＭ受信装置内のフロントエンド部が局発信号と高周波受信信号（ＲＦ信号）とを混合することにより周波数変換した中間周波数の信号を生成すると、図２（ｂ）に示すような中心周波数（搬送周波数）ｆoを中心とする通過帯域幅Ｗを有している上述の中間周波フィルタが、その中間周波数の信号を帯域制限することでＩＦ信号ＳIFを抽出し、そのＩＦ信号ＳIFを受信感度検出装置１が入力するようになっている。【００２１】
下側狭帯域フィルタ２は、図２（ｃ）に例示するように、上述の中心周波数ｆoを含み、且つ中間周波フィルタの低域カットオフ周波数（ｆo−Ｗ／２）までの周波数範囲（以下、「下側サイドバンド」と称する）ＷＬのうちの少なくとも一部の周波数範囲を通過帯域幅Ｆ２として設定されたバンドパスフィルタで形成されており、被変調波信号であるＩＦ信号ＳIFから通過帯域幅Ｆ２内の信号成分（以下、「下側信号成分」と称する）ＳＬを抽出して出力する。【００２２】
このように、通過帯域幅Ｆ２が決められることで、下側狭帯域フィルタ２は、隣接妨害波の混入の有無にかかわらず受信感度を検出するために必要な信号成分である搬送波成分（搬送周波数ｆoの成分）を常に通過させ、更に、上側サイドバンドＷＵ内に隣接妨害波が侵入した場合には、その上側サイドバンドＷＵ内の隣接妨害波を通過させず、下側サイドバンドＷＬ内に隣接妨害波が侵入した場合には、その下側サイドバンドＷＬ内の隣接妨害波を通過させるフィルタ特性を発揮する。【００２３】
上側狭帯域フィルタ３は、同じく図２（ｃ）に例示するように、上述の中心周波数ｆoを含み、且つ中間周波フィルタの高域カットオフ周波数（ｆo＋Ｗ／２）までの周波数範囲（以下、「上側サイドバンド」と称する）ＷＵのうち少なくとも一部の周波数範囲を通過帯域幅Ｆ３として設定されたバンドパスフィルタで形成されており、ＩＦ信号ＳIFから通過帯域幅Ｆ３内の信号成分（以下、「上側信号成分」と称する）ＳＵを抽出して出力する。【００２４】
このように、通過帯域幅Ｆ３が決められることで、上側狭帯域フィルタ３は、隣接妨害波の混入の有無にかかわらず受信感度を検出するために必要な信号成分である搬送波成分（搬送周波数ｆoの成分）を常に通過させ、更に、下側サイドバンドＷＬ内に隣接妨害波が侵入した場合には、その下側サイドバンドＷＬ内の隣接妨害波を通過させず、上側サイドバンドＷＵ内に隣接妨害波が侵入した場合には、その上側サイドバンドＷＵ内の隣接妨害波を通過させるフィルタ特性を発揮する。【００２５】
また、図２（ｃ）に例示した通過帯域幅Ｆ２とＦ３は、各々中心周波数ｆoを含み、下側サイドバンドＷＬと上側サイドバンドＷＵをほぼ包含する周波数範囲に決められているが、変形例として図２（ｄ）に例示するように、中心周波数ｆoを含む下側サイドバンドＷＬの一部周波数範囲と、中心周波数ｆoを含む上側サイドバンドＷＵの一部周波数範囲に決めてもよい。【００２６】
また、他の変形例として、図２（ｅ）に例示するように、通過帯域幅Ｆ２が下側サイドバンドＷＬと中心周波数ｆoを含む他、上側サイドバンドＷＵの一部周波数範囲（ただし、上側サイドバンドＷＵ内に侵入する隣接放送チャンネルからの隣接妨害波を通過させることのない周波数範囲）までをも包含するように決めると共に、通過帯域幅Ｆ３が上側サイドバンドＷＵと中心周波数ｆoを含む他、下側サイドバンドＷＬの一部周波数範囲（ただし、下側サイドバンドＷＬ内に侵入する隣接放送チャンネルからの隣接妨害波を通過させることのない周波数範囲）までをも包含するように決めてもよい。【００２７】
要は、ＦＭ受信装置が利用される場所や地域、例えば日本国内や外国等によって、各放送局に割り当てられているチャンネル周波数帯域の割り当て状況が異なることから、例えばＦＭ受信装置の製造時における調整の際等において、中間周波フィルタの帯域幅Ｗ内に侵入する可能性が有ると想定される隣接妨害波の周波数範囲と中心周波数ｆoを含むように、両者の通過帯域幅Ｆ２，Ｆ３が決められる。ただし、通過帯域幅Ｆ２は上側サイドバンドＷＵに侵入する隣接妨害波を通過させず、通過帯域幅Ｆ３は下側サイドバンドＷＬに侵入する隣接妨害波を通過させず、且つ中心周波数foを中心として互いに対称な周波数範囲となるように決めることが好ましい。【００２８】
エンベロープ検出部４は、整流器と、所定の時定数を有するフィルタ回路等を有して形成されており、下側信号成分ＳＬをエンベロープ検波することで、下側信号成分ＳＬのエンベロープ（包絡線）を示す下側エンベロープ信号ＥＬを出力する。【００２９】
エンベロープ検出部５は、整流器と、所定の時定数を有するフィルタ回路等を有して形成されており、上側信号成分ＳＵをエンベロープ検波することで、上側信号成分ＳＵのエンベロープ（包絡線）を示す上側エンベロープ信号ＥＵを出力する。【００３０】
ピークホールド部６は、所定の時定数を有する充放電回路等で形成されており、下側エンベロープ信号ＥＬをその時定数に従ってピークホールドすることで、第１の平滑信号Ｓmaを生成して出力する。【００３１】
ピークホールド部７も同様に、所定の時定数を有する充放電回路等で形成されており、上側エンベロープ信号ＥＵをその時定数に従ってピークホールドすることで、第２の平滑信号Ｓmbを生成して出力する。【００３２】
セレクタ部８は、上述の時定数に従ってピークホールドされている第１，第２の平滑信号Ｓma，Ｓmbの瞬時振幅を逐一比較し、レベルの小さい方の平滑信号を、受信感度を示すＳメータ信号ＳＭＴとして出力する。【００３３】
すなわち、セレクタ部８は、第１の平滑信号Ｓmaのレベルが第２の平滑信号Ｓmbのレベルより大きいとき、下側サイドバンドＷＬ内に隣接妨害波が侵入している可能性があり、第１の平滑信号Ｓmaのレベルが第２の平滑信号Ｓmbのレベルより大きくなったと判断して、レベルの小さい第２の平滑信号ＳmbをＳメータ信号ＳＭＴとして出力する。一方、第２の平滑信号Ｓmbのレベルが第１の平滑信号Ｓmaのレベルがより大きいとき、上側サイドバンドＷＵ内に隣接妨害波が侵入している可能性があり、第２の平滑信号Ｓmbのレベルが第１の平滑信号Ｓmaのレベルより大きくなったと判断して、レベルの小さい第１の平滑信号ＳmaをＳメータ信号ＳＭＴとして出力する。【００３４】
次に、かかる構成を有する本実施形態の受信感度検出装置１の動作について説明する。【００３５】
ＩＦ信号ＳIFが図２（ａ）に示した下側狭帯域フィルタ２と上側狭帯域フィルタ３に入力すると、各通過帯域幅Ｆ２，Ｆ３で帯域制限された下側信号成分ＳＬと上側信号成分ＳＵが抽出され、引き続き各エンベロープ検出部４，５から下側エンベロープ信号ＥＬと上側エンベロープ信号ＥＵが出力される。更に、下側エンベロープ信号ＥＬと上側エンベロープ信号ＥＵがピークホールド部６，７で夫々ピークホールドされることにより、第１，第２の平滑信号Ｓma，Ｓmbが生成される。【００３６】
ここで、図２（ｂ）に示した中間周波フィルタの帯域幅Ｗのうちの下側サイドバンドＷＬ内に隣接妨害波が侵入して、ＩＦ信号ＳIFにその隣接妨害波が混入していると、第１の平滑信号Ｓmaのレベル（瞬時振幅）が第２の平滑信号Ｓmbのレベル（瞬時振幅）より大きくなり、セレクタ部６がレベルの小さい第２の平滑信号Ｓmbを、隣接妨害の影響を受けていないＳメータ信号ＳＭＴとして出力する。【００３７】
一方、中間周波フィルタの帯域幅Ｗのうちの上側サイドバンドＷＵ内に隣接妨害波が侵入して、ＩＦ信号ＳIFにその隣接妨害波が混入していると、第２の平滑信号Ｓmbのレベル（瞬時振幅）が第１の平滑信号Ｓmaのレベル（瞬時振幅）より大きくなり、セレクタ部６がレベルの小さい第１の平滑信号Ｓmaを、隣接妨害の影響を受けていないＳメータ信号ＳＭＴとして出力する。【００３８】
また、下側サイドバンドＷＬ及び上側サイドバンドＷＵ内に隣接妨害波が侵入していないときには、第１，第２の平滑信号Ｓma，Ｓmbのどちらのレベルが小さくなるかは不確定となるが、両者とも隣接妨害の影響の無い平滑信号であるため、レベルの小さい平滑信号が選択されることで、隣接妨害の影響を受けていないＳメータ信号ＳＭＴが生成される。【００３９】
以上に説明したように本実施形態の受信感度検出装置１によれば、中間周波フィルタの帯域幅Ｗを下側サイドバンドＷＬと上側サイドバンドＷＵに分け、下側サイドバンドＷＬ内のＩＦ信号ＳIFの成分と上側サイドバンドＷＵ内のＩＦ信号ＳIFの成分のうちで、レベルが小さくなった方の成分に基づいて生成した平滑信号をＳメータ信号ＳＭＴとするので、隣接妨害波の影響を抑制して正確な受信感度を示すＳメータ信号ＳＭＴを生成することができる。【００４０】
そして、本実施形態の受信感度検出装置１で生成されるＳメータ信号ＳＭＴの電圧レベルに従って、検波出力を利得制御等することにより、Ｓ／Ｎ比等の向上を図った受信装置を実現することが可能である。また、Ｓメータ信号ＳＭＴの電圧レベルに従って、受信装置に設けられている様々な処理回路を制御することで、高品質の受信を行うことが可能である。【００４１】
なお、本実施形態では、下側サイドバンドＷＬ内に侵入した妨害波の有無を検出するための狭帯域フィルタ２とエンベロープ検出部４とピークホールド部６から成る第１の系統と、上側サイドバンドＷＵ内に侵入した妨害波の有無を検出するための狭帯域フィルタ３とエンベロープ検出部５とピークホールド部７から成る第２の系統との、２つの系統を備えた構成となっているが、変形例として、更に狭帯域フィルタとエンベロープ検出部とピークホールド部から成る系統の個数を増やして、夫々の系統で生成される平滑信号のうち、レベルの最も小さい平滑信号をＳメータ信号ＳＭＴとしてもよい。かかる変形例によれば、より精密に、正確な受信感度を示すＳメータ信号ＳＭＴを生成することができる。【００４２】
ただし、この変形例の場合にも、各々の狭帯域フィルタの通過帯域幅には、少なくとも中心周波数（搬送周波数）ｆoが含まれようにし、且つ下側サイドバンドＷＬの側の下側狭帯域フィルタと、上側サイドバンドＷＵの側の上側狭帯域フィルタとの個数を同数とすると共に、中心周波数ｆoを中心として対称な通過帯域幅となる１対ずつの狭帯域フィルタで構成することが望ましい。更に、各々の下側狭帯域フィルタでは、上側サイドバンドＷＵに侵入する隣接妨害波を通過させず、且つ各々の上側狭帯域フィルタでは、下側サイドバンドＷＬに侵入する隣接妨害波を通過させないように通過帯域幅を決めればよい。
【実施例】
【００４３】
次に、実施例に係る受信感度検出装置について図３乃至図６を参照して説明する。図３は、本実施例の受信感度検出装置の構成を表したブロック図であり、ＦＭ受信装置に設けられた場合の構成を示している。また、図３において図２（ａ）と同一又は相当する部分を、同一符号又はサフィックスを付けた同一のプリフィックス符号で示している。図４は、ＦＭ受信装置に設けられている中間周波フィルタと、受信感度検出装置に設けられている下側狭帯域フィルタと上側狭帯域フィルタのフィルタ特性（通過帯域幅）を表した図である。図５及び図６は、受信感度検出装置に設けられている各構成要素の入力又は出力信号の波形を模式的に示した波形図であり、同じ時間軸に統一して示している。【００４４】
図３において、まずＦＭ受信装置の基本構成を説明すると、放送波等の到来電波を受信するアンテナＡＮＴと、選局のための局発信号とアンテナＡＮＴから出力される高周波受信信号（ＲＦ信号）とを混合することによって、中間周波数帯の信号に周波数変換するフロントエンド部９と、該中間周波数帯の信号を所定の通過帯域幅Ｗで帯域制限することで、中間周波信号（ＩＦ信号）ＳIFを生成する帯域フィルタ（中間周波フィルタ）１０と、ＩＦ信号ＳIFを増幅して検波部１２に供給する中間周波増幅部１１と、検波部１２でＦＭ検波された検波出力（すなわち、復調信号）Ｓdetを入力し、後述の自動受信制御を施して出力する自動受信制御回路１３が備えられている。【００４５】
ここで、ＦＭ受信装置が我国のＦＭ放送に適合させた構成となっている場合、帯域フィルタ１０の中心周波数（搬送周波数）ｆoが１０．７ＭＨｚで、帯域幅Ｗがその中心周波数ｆoを中心として約±１００ｋＨｚ程度の周波数範囲に設計されている。【００４６】
自動受信制御回路１３は、ソフトミュート回路１３ａとセパレーション制御回路１３ｂ及びハイカット回路１３ｃを有し、送信局側の送信アンテナから受信アンテナＡＮＴまでの距離等の影響によって到来電波の電界強度が変動したり、無線伝送路内の建築物や地形等の影響を受けて到来電波にフェージングが生じた場合等に、各回路１３ａ，１３ｂ，１３ｃが、Ｓメータ信号ＳＭＴの電圧レベルに応じて復調信号Ｓdetに対して所定の自動受信制御を行うことで、ユーザーに対し良好な音質の再生音を提供することが可能な出力信号Ｓoutを生成して出力する。【００４７】
より詳細に述べると、ソフトミュート回路１３ａは、電子アッテネータ（減衰回路）等で形成されており、上述のフェージング等の影響でＳメータ信号ＳＭＴの電圧レベルが所定値より小さくなると、復調信号Ｓdetに対する増幅率を０〔dB〕から次第に減衰させていく。こうして、復調信号Ｓdetに対し徐々にミュートを掛けることで、耳障りの原因となるノイズ成分を抑制した信号にし、出力信号Ｓoutとして出力する。【００４８】
セパレーション制御回路１３ｂは、上述のフェージング等の影響でＳメータ信号ＳＭＴの電圧レベルが所定値よりも小さくなると、復調信号Ｓdetに基づくステレオ再生を止めてモノラル再生の制御を行い、そのモノラル再生した信号を出力信号Ｓoutとして出力する。【００４９】
ハイカット回路１３ｃは、カットオフ周波数を自動調整することが可能な高域遮断フィルタ（別言すれば、低域通過フィルタ）等で形成され、上述のフェージング等の影響でＳメータ信号ＳＭＴの電圧レベルが小さくなるのに応じてカットオフ周波数を下げることによって復調信号Ｓdetの高域周波数成分を除去し、その高域周波数成分を除去した信号、すなわち耳障りの原因となる高域ノイズ成分を抑制した信号を出力信号Ｓoutとして出力する。【００５０】
そして、各回路１３ａ，１３ｂ，１３ｃが図示の如く直列接続されているため、これらの各回路１３ａ，１３ｂ，１３ｃが有する上述の各自動受信制御機能によって所定の処理が施された出力信号Ｓoutが生成され、図示しないスピーカ側へ出力される。【００５１】
ただし、検波部１２の出力に対して各回路１３ａ，１３ｂ，１３ｃを直列接続する代わりに、検波部１２の出力に対して各回路１３ａ，１３ｂ，１３ｃを並列接続し、Ｓメータ信号ＳＭＴの電圧レベルと各回路１３ａ，１３ｂ，１３ｃの各々の自動受信制御機能によって発揮される効果との関係を所定のアルゴリズムに従って解析して、ユーザーにとって最も良好な受聴環境を提供することが可能な各回路１３ａ，１３ｂ，１３ｃの何れか１つを選択し、その選択した１つの回路の出力信号のみを出力信号Ｓoutとして出力するように、自動受信制御を行ってもよい。【００５２】
次に、受信感度検出装置１の構成を説明する。 
本実施例の受信感度検出装置１は、ＩＦ信号ＳIFを入力する下側狭帯域フィルタ２及び上側狭帯域フィルタ３と、エンベロープ検出回路４，５と、高速充電低速放電回路６，７と、前段セレクタ回路８ａ，８ｂと、後段セレクタ回路８ｃを備えて構成されている。【００５３】
下側狭帯域フィルタ２は、所定の通過帯域幅Ｆ２を有するバンドパスフィルタで形成されており、通過帯域幅Ｆ２は、図４（ａ）に示す帯域フィルタ１０の帯域幅Ｗに対し、図４（ｂ）に示すように中心周波数ｆoと下側サイドバンドＷＬとを包含する周波数範囲に決められている。そして、ＩＦ信号ＳIFのうち通過帯域幅Ｆ２を通過する信号成分を下側信号成分ＳＬとして出力する。【００５４】
このように、通過帯域幅Ｆ２が決められることで、下側狭帯域フィルタ２は、隣接妨害波の混入の有無にかかわらず受信感度を検出するために必要な信号成分である搬送波成分（搬送周波数ｆoの成分）を常に通過させ、更に、上側サイドバンドＷＵ内に隣接妨害波が侵入した場合には、その上側サイドバンドＷＵ内の隣接妨害波を通過させず、下側サイドバンドＷＬ内に隣接妨害波が侵入した場合には、その下側サイドバンドＷＬ内の隣接妨害波を通過させるフィルタ特性を発揮する。【００５５】
上側狭帯域フィルタ３は、所定の通過帯域幅Ｆ３を有するバンドパスフィルタで形成されており、その通過帯域幅Ｆ３は、図４（ｃ）に示すように、中心周波数ｆoと上側サイドバンドＷＵとを包含する周波数範囲に決められている。そして、ＩＦ信号ＳIFのうち通過帯域幅Ｆ３を通過する信号成分を上側信号成分ＳＵとして出力する。【００５６】
このように、通過帯域幅Ｆ３が決められることで、上側狭帯域フィルタ３は、隣接妨害波の混入の有無にかかわらず受信感度を検出するために必要な信号成分である搬送波成分（搬送周波数ｆoの成分）を常に通過させ、更に、下側サイドバンドＷＬ内に隣接妨害波が侵入した場合には、その下側サイドバンドＷＬ内の隣接妨害波を通過させず、上側サイドバンドＷＵ内に隣接妨害波が侵入した場合には、その上側サイドバンドＷＵ内の隣接妨害波を通過させるフィルタ特性を発揮する。【００５７】
エンベロープ検出回路４は、下側信号成分ＳＬをエンベロープ検波し、下側エンベロープ検出信号ＥＬを生成して出力する。【００５８】
エンベロープ検出回路５も同様に、上側信号成分ＳＵをエンベロープ検波し、上側エンベロープ検出信号ＥＵを生成して出力する。【００５９】
前段セレクタ回路８ａ，８ｂと後段セレクタ回路８ｃは、図２（ａ）に示したセレクタ部８に相当している。ただし、前段セレクタ回路８ａ，８ｂは、下側エンベロープ検出信号ＥＬと上側エンベロープ検出信号ＥＵから隣接妨害波の影響を予め十分に除去するために設けられ、後段セレクタ回路８ｃは、第１の平滑信号Ｓmaと第２の平滑信号ＳmbからＳメータ信号ＳＭＴを生成するために設けられている。【００６０】
まず、前段セレクタ回路８ａは、比較器とアナログスイッチ等で形成されており、下側エンベロープ信号ＥＬと上側エンベロープ信号ＥＵとの瞬時振幅のレベルを比較し、次式（１ａ）（１ｂ）で表されるように、その比較結果に基づいて第１の前置信号ＳＷａを出力する。【００６１】
【数１】
0004650847.tif 000002
【００６２】
すなわち、前段セレクタ回路８ａは、下側エンベロープ信号ＥＬのレベルが上側エンベロープ信号ＥＵのレベルより大きいとき（ＥＬ≧ＥＵ）、下側エンベロープ信号ＥＬを第１の前置信号ＳＷａとして出力し、一方、下側エンベロープ信号ＥＬのレベルが上側エンベロープ信号ＥＵのレベルより小さいとき（ＥＬ＜ＥＵ）、第１の前置信号ＳＷaのレベルを強制的に基底レベル（本実施例では、０ボルト）に設定する。【００６３】
このように前段セレクタ回路８ａは、下側エンベロープ信号ＥＬのレベルが上側エンベロープ信号ＥＵのレベルより大きいときには（ＥＬ≧ＥＵ）、上側サイドバンドＷＵに隣接妨害波が侵入しているか否かを問わず、下側サイドバンドＷＬには隣接妨害波が侵入していないと判断し、下側エンベロープ信号ＥＬを第１の前置信号ＳＷａとして出力する。【００６４】
一方、下側エンベロープ信号ＥＬのレベルが上側エンベロープ信号ＥＵのレベルより小さいときには（ＥＬ＜ＥＵ）、前段セレクタ回路８ａは、上側サイドバンドＷＵに隣接妨害波が侵入している可能性があると判断し、上側エンベロープ信号ＥＵを第１の前置信号ＳＷａとして出力しない。更に、仮に上側サイドバンドＷＵに隣接妨害波が侵入した場合、下側エンベロープ信号ＥＬにもその隣接妨害波の影響を受けて、いわゆるノイズ成分が混入したり波形歪みを生じる場合があることから、単純に下側エンベロープ信号ＥＬを第１の前置信号ＳＷａとして出力することはせず、強制的に第１の前置信号ＳＷａを基底レベルに設定することで、隣接妨害波の影響を除去している。【００６５】
前段セレクタ回路８ｂは、比較器とアナログスイッチ等で形成されており、下側エンベロープ信号ＥＬと上側エンベロープ信号ＥＵとの瞬時振幅のレベルを比較し、次式（２ａ）（２ｂ）で表されるように、その比較結果に基づいて第２の前置信号ＳＷｂを出力する。【００６６】
【数２】
0004650847.tif 000003
【００６７】
すなわち、前段セレクタ回路８ｂは、上側エンベロープ信号ＥＵのレベルが下側エンベロープ信号ＥＬのレベルより大きいとき（ＥＵ≧ＥＬ）、上側エンベロープ信号ＥＵを第２の前置信号ＳＷｂとして出力し、一方、上側エンベロープ信号ＥＵのレベルが下側エンベロープ信号ＥＬのレベルより小さいとき（ＥＵ＜ＥＬ）、第２の前置信号ＳＷｂのレベルを強制的に基底レベル（本実施例では、０ボルト）に設定する。【００６８】
このように前段セレクタ回路８ｂは、上側エンベロープ信号ＥＵのレベルが下側エンベロープ信号ＥＬのレベルより大きいときには（ＥＵ≧ＥＬ）、下側サイドバンドＷＬに隣接妨害波が侵入しているか否かを問わず、上側サイドバンドＷＵには隣接妨害波が侵入していないと判断し、上側エンベロープ信号ＥＵを第２の前置信号ＳＷｂとして出力する。【００６９】
一方、上側エンベロープ信号ＥＵのレベルが下側エンベロープ信号ＥＬのレベルより小さいときには（ＥＵ＜ＥＬ）、前段セレクタ回路８ｂは、下側サイドバンドＷＬに隣接妨害波が侵入している可能性があると判断して、下側エンベロープ信号ＥＬを第２の前置信号ＳＷｂとして出力しない。更に、仮に下側サイドバンドＷＬに隣接妨害波が侵入した場合、上側エンベロープ信号ＥＵにもその隣接妨害波の影響を受けて、いわゆるノイズ成分が混入したり波形歪みを生じる場合があることから、単純に上側エンベロープ信号ＥＵを第２の前置信号ＳＷｂとして出力することはせず、強制的に第２の前置信号ＳＷｂを基底レベルに設定することで、隣接妨害波の影響を除去している。【００７０】
高速充電低速放電回路６は、図２（ａ）に示したピークホールド部６に相当し、充電の時定数に較べて放電の時定数が大きい充放電回路で形成されている。そして、第１の前置信号ＳＷaが基底レベルから増加する期間（すなわち、立ち上がり期間）で高速充電を行い、第１の前置信号ＳＷaのレベルが減少する期間（すなわち、立ち下がり期間）では、その高速充電した充電電圧を低速放電せることで、第１の前置信号ＳＷaに含まれている高い周波数の成分（すなわち、上述の放電の時定数に較べて高い周波数の成分）を平滑化し、その平滑化した信号を第１の平滑信号Ｓmaとして出力する。【００７１】
このように、高速充電低速放電回路６が第１の前置信号ＳＷaに対して高速充電低速放電の処理を行うと、下側サイドバンドＷＬ及び上側サイドバンドＷＵ内に隣接妨害波が侵入していない受信状態のときには、隣接妨害の影響を受けていない本来の受信感度を示す第１の平滑信号Ｓmaが生成されることとなる。【００７２】
また、下側サイドバンドＷＬ内に隣接妨害波が侵入していないが、上側サイドバンドＷＵ内に隣接妨害波が侵入している受信状態のときには、上述の基底レベルに設定された第１の前置信号ＳＷaを含めて高速充電低速放電の処理が行われるため、隣接妨害の影響を除去するための補正処理が施された受信感度を示す第１の平滑信号Ｓmaが生成されることとなる。【００７３】
また、下側サイドバンドＷＬ内に隣接妨害波が侵入し、上側サイドバンドＷＵ内に隣接妨害波が侵入していない受信状態のときには、隣接妨害の影響を受けている第１の平滑信号Ｓmaが生成されることとなる。【００７４】
また、下側サイドバンドＷＬ及び上側サイドバンドＷＵ内に隣接妨害波が侵入している受信状態のときには、隣接妨害の影響を受けている第１の平滑信号Ｓmaが生成されることとなる。【００７５】
高速充電低速放電回路７は、図２（ａ）に示したピークホールド部７に相当し、充電の時定数に較べて放電の時定数が大きい充放電回路で形成されている。そして、第２の前置信号ＳＷｂが基底レベルから増加する期間（すなわち、立ち上がり期間）で高速充電を行い、第２の前置信号ＳＷｂのレベルが減少する期間（すなわち、立ち下がり期間）では、その高速充電した充電電圧を低速放電せることで、第２の前置信号ＳＷaに含まれている高い周波数の成分（すなわち、上述の放電の時定数に較べて高い周波数の成分）を平滑化し、その平滑化した信号を第２の平滑信号Ｓmbとして出力する。【００７６】
このように、高速充電低速放電回路７が第２の前置信号ＳＷｂに対して高速充電低速放電の処理を行うと、下側サイドバンドＷＬ及び上側サイドバンドＷＵ内に隣接妨害波が侵入していない受信状態のときには、隣接妨害の影響を受けていない本来の受信感度を示す第２の平滑信号Ｓmbが生成されることとなる。【００７７】
また、上側サイドバンドＷＵ内に隣接妨害波が侵入していないが、下側サイドバンドＷＬ内に隣接妨害波が侵入している受信状態のときには、上述の基底レベルに設定された第２の前置信号ＳＷｂを含めて高速充電低速放電の処理が行われるため、隣接妨害の影響を除去するための補正処理が施された受信感度を示す第２の平滑信号Ｓmbが生成されることとなる。【００７８】
また、上側サイドバンドＷＵ内に隣接妨害波が侵入し、下側サイドバンドＷＬ内に隣接妨害波が侵入していない受信状態のときには、隣接妨害の影響を受けている第２の平滑信号Ｓmbが生成されることとなる。【００７９】
また、上側サイドバンドＷＵ及び下側サイドバンドＷＬ内に隣接妨害波が侵入している受信状態のときには、隣接妨害の影響を受けている第２の平滑信号Ｓmbが生成されることとなる。【００８０】
出力段セレクタ回路８ｃは、第１，第２の平滑信号Ｓma，Ｓmbの瞬時振幅のレベルを逐一比較し、次式（３ａ）（３ｂ）で表されるように、レベルの小さい方の平滑信号を選択して出力することにより、電圧レベルによって正確な受信感度を示すＳメータ信号ＳＭＴを生成して出力する。【００８１】
【数３】
0004650847.tif 000004
【００８２】
このように、出力段セレクタ回路８ｃがセレクト処理を行うと、高速充電低速放電回路６，７までの処理によって予め隣接妨害の影響が十分に除かれた第１の平滑信号Ｓma又は第２の平滑信号Ｓmbのうち、より隣接妨害の影響が除去されている平滑信号（レベルの小さい方の平滑信号）を選択することになり、より正確なＳメータ信号ＳＭＴを生成することとなる。【００８３】
次に、かかる構成を有する本実施例の受信感度検出装置の動作について説明する。【００８４】
まず、図５を参照して、下側サイドバンドＷＬ及び上側サイドバンドＷＵ内に隣接妨害波が侵入していない場合、すなわち隣接妨害波の影響を受けていない受信状態における動作について説明する。【００８５】
図４（ａ）に示した下側サイドバンドＷＬと上側サイドバンドＷＵ内に隣接妨害波が侵入していない場合、図５に例示するように、ＩＦ信号ＳIFのエンベロープはほぼ平坦となる。更に、図４（ｂ）（ｃ）に示した通過帯域幅Ｆ２，Ｆ３を有する狭帯域フィルタ２，３を介して抽出される下側信号成分ＳＬと上側信号成分ＳＵは、中心周波数ｆoを中心として、ほぼ互いに逆方向の周波数偏移となることから、その下側信号成分ＳＬに基づいて生成される下側エンベロープ信号ＥＬと、その上側信号成分ＳＵに基づいて生成される上側エンベロープ信号ＥＵも、互いに位相が反転するような波形となる。【００８６】
更に、前段セレクタ回路８ａ，８ｂにおいて、下側エンベロープ信号ＥＬと上側エンベロープ信号ＥＵのレベルが比較されることで、第１の前置信号ＳＷaと第２の前置信号ＳＷｂが、下側エンベロープ信号ＥＬと上側信号成分ＳＵに追従して変化する。【００８７】
そして、第１の前置信号ＳＷaと第２の前置信号ＳＷｂが、高速充電低速放電回路６，７において高速充電低速充電の処理が施されることで、図示するような平滑化された第１の平滑信号Ｓmaと第２の平滑信号Ｓmbが生成され、後段セレクタ回路８ｃがレベルの小さい方の平滑信号を選択して出力することで、正確に受信感度を示すＳメータ信号ＳＭＴが生成される。【００８８】
このように、下側サイドバンドＷＬと上側サイドバンドＷＵ内に隣接妨害波が侵入していない場合には、正確に受信感度を示すＳメータ信号ＳＭＴが生成され、このＳメータ信号ＳＭＴの電圧レベルに従って、自動受信制御回路１３内のソフトミュート回路１３ａとセパレーション制御回路１３ｂ及びハイカット回路１３ｃが復調信号Ｓdetに対して自動受信制御を行うことで、フェージング等の影響があった場合でも、ユーザーにとって良好な音質の再生音を提供することが可能な出力信号Ｓoutを生成して出力する。【００８９】
次に、遠距離受信等の際、隣接妨害による悪影響を受けてＩＦ信号ＳIFに妨害波が混入した場合の動作例について、図６を参照して説明する。【００９０】
ただし、一例として、帯域フィルタ１０の中心周波数ｆoより１００ｋＨｚ高い周波数側に搬送周波数を有し、その搬送周波数を中心として最大周波数偏移が±７５ｋＨｚとなっている隣接放送チャンネルの放送波が上側サブバンドＷＵ内に侵入した場合について説明する。つまり、図１（ｅ）に示した妨害波ＮＺＵが侵入した場合について説明する。【００９１】
上側サブバンドＷＵ内に隣接放送チャンネルの放送波が隣接妨害波となって侵入すると、ＩＦ信号ＳIFの希望波成分のエンベロープに、図６に示すような妨害波によるノイズ成分が重畳して生じることとなる。【００９２】
上側下側狭帯域フィルタ３に入力され、更にエンベロープ検出回路４，５でエンベロープ検波が行われると、上側エンベロープ信号ＥＵは、侵入した隣接妨害波が直接的にノイズ成分となって希望信号に混入（重畳）した波形となり、下側エンベロープ信号ＥＬは、直接的ではないが隣接妨害波の影響を受けてノイズ成分や歪みが希望信号に混入（重畳）した波形となる。【００９３】
そして、それらの下側エンベロープ信号ＥＬと上側エンベロープ信号ＥＵの各々の瞬時振幅のレベルが前段セレクタ部８ａ，８ｂにおいて比較される。【００９４】
ここで、下側エンベロープ信号ＥＬのレベルが上側エンベロープ信号ＥＵのレベルより大きいときには、上記式（１ａ）（２ｂ）の関係に従って、前段セレクタ部８ａが下側エンベロープ信号ＥＬを第１の前置信号ＳＷａとして出力し、且つ前段セレクタ部８ｂが第２の前置信号ＳＷｂを強制的に基底レベル（０ボルト）に設定する。また、下側エンベロープ信号ＥＬのレベルが上側エンベロープ信号ＥＵのレベルより小さいときには、上記式（１ｂ）（２ａ）の関係に従って、前段セレクタ部８ａが第１の前置信号ＳＷａを強制的に基底レベル（０ボルト）に設定し、且つ前段セレクタ部８ｂが上側エンベロープ信号ＥＵを第２の前置信号ＳＷｂとして出力する。【００９５】
したがって、隣接放送チャンネルの隣接妨害波が上側サブバンドＷＵ内に侵入した場合には、第１の前置信号ＳＷａが、隣接妨害波の影響を受けていない期間では下側エンベロープ信号ＥＬとなり、間接的であっても隣接妨害波の影響を受けている期間では、強制的に基底レベル（０ボルト）に設定される。更に、第２の前置信号ＳＷｂは、隣接妨害波によるノイズ成分が混入している上側エンベロープ信号ＥＵと殆ど同じ波形となると共に、第１の前置信号ＳＷａが隣接妨害波の影響を受けていない期間では、強制的に、基底レベル（０ボルト）に設定される。【００９６】
そして、これらの第１の前置信号ＳＷａと第２の前置信号ＳＷｂが、高速充電低速放電回路６，７において夫々高速充電低速放電の処理が施されることで、図示するような第１，第２の平滑信号Ｓma，Ｓmbに平滑化されて、後段セレクタ部８ｃに供給される。【００９７】
そして、後段セレクタ部８ｃでは、レベルの小さい方の平滑信号が選択されることで、殆ど隣接妨害の影響を受けていない下側サイドバンドＷＬ側の被変調波成分（下側信号成分）ＳＬに基づいて生成された第１の平滑信号Ｓmaが選択されて、Ｓメータ信号ＳＭＴが生成される。【００９８】
なお、隣接放送チャンネルの放送波が下側サブバンドＷＬ内に侵入した場合、すなわち、図１（ｅ）に示す妨害波ＮＺＬが下側サブバンドＷＬ内に侵入した場合についての詳細な動作説明は省略するが、図６に示したエンベロープ信号ＥＬ，ＥＵの符号を入れ替え、前置信号ＳＷa，ＳＷbの符号を入れ替え、平滑信号Ｓma，Ｓmbの符号を入れ替えると、妨害波ＮＺＬが下側サブバンドＷＬ内に侵入した場合の夫々の波形となる。そして、かかる場合には、図６に示されている平滑信号Ｓmaと同様な波形（レベルの小さな波形）からなる平滑信号Ｓmbが高速充電低速放電回路７で生成されることとなり、更に図６に示されている平滑信号Ｓmbと同様な波形（レベルの大きな波形）からなる平滑信号Ｓmaが高速充電低速放電回路６で生成されることとなることから、高速充電低速放電回路７で生成されることとなるレベルの小さい方の平滑信号Ｓmbが後段セレクタ部８ｃで選択されて、正確な受信感度を示すＳメータ信号ＳＭＴが生成される。【００９９】
また、下側サイドバンドＷＬと上側サイドバンドＷＵの両方に隣接妨害波が混入した場合には、不可避的に正確なＳメータ信号ＳＭＴを生成することが困難となる場合があるが、従来の受信感度検出装置との性能比較をすると、本実施例の受信感度検出装置の方が正確なＳメータ信号ＳＭＴを生成することができる。つまり、下側サイドバンドＷＬに侵入する隣接妨害波の最大周波数偏移がその搬送周波数を中心として一般に±７５ｋＨｚと決められ、上側サイドバンドＷＵに侵入する隣接妨害波の最大周波数偏移もその搬送周波数を中心として一般に±７５ｋＨｚと決められているとしても、実際の隣接妨害波の最大周波数偏移は±７５ｋＨｚの範囲よりも狭い周波数となっている場合が多い。このため、本実施例の受信感度検出装置によると、 第１，第２の前置信号ＳＷａ，ＳＷｂを妨害波の影響を除去するように基底レベル（０ボルト）に設定してから高速充電低速放電回路６，７で高速充電低速放電の処理を行うことで、実際の隣接妨害波の影響を低減するように動作することなり、従来の受信感度検出装置よりも正確なＳメータ信号ＳＭＴを生成することができる。【０１００】
以上説明したように、本実施例の受信感度検出装置によると、下側狭帯域フィルタ２とエンベロープ検出回路４が、下側サイドバンドＷＬ内に妨害波が侵入したか否かを示す下側エンベロープ信号ＥＬを生成すると共に、上側狭帯域フィルタ３とエンベロープ検出回路５が、上側サイドバンドＷＵ内に妨害波が侵入したか否かを示す上側エンベロープ信号ＥＵを生成し、前段セレクタ部８ａ，８ｂが、上記式（１ａ）（１ｂ）（２ａ）（２ｂ）に示したように、下側エンベロープ信号ＥＬと上側エンベロープ信号ＥＵのレベルを比較して、その比較結果に基づいて妨害波の影響を除去する処理を施した前置信号ＳＷａ，ＳＷｂを高速充電低速放電回路６，７に供給するので、高速充電低速放電回路６，７で生成される第１，第２の平滑信号Ｓma，Ｓmbのうちレベルの小さい方の平滑信号を後段セレクタ回路８ｃが選択することで、正確なＳメータ信号ＳＭＴを生成することができる。【０１０１】
すなわち、前段セレクタ部８ａでは、下側エンベロープ信号ＥＬのレベルの方が上側エンベロープ信号ＥＵのレベルより大きいとき、下側エンベロープ信号ＥＬを第１の前置信号ＳＷａとし、また、下側エンベロープ信号ＥＬのレベルの方が上側エンベロープ信号ＥＵのレベルより小さいときには、第１の前置信号ＳＷａを強制的に基底レベルに設定することで妨害波の影響を除去して高速充電低速放電回路６に供給し、前段セレクタ部８ｂでは、上側エンベロープ信号ＥＵのレベルの方が下側エンベロープ信号ＥＬのレベルより大きいとき、上側エンベロープ信号ＥＵを第２の前置信号ＳＷｂとし、また、上側エンベロープ信号ＥＵのレベルの方が下側エンベロープ信号ＥＬのレベルより小さいときには、第２の前置信号ＳＷｂを強制的に基底レベルに設定することで妨害波の影響を除去して高速充電低速放電回路６に供給している。【０１０２】
このように、前段セレクタ部８ａ，８ｂで、予め妨害波の影響を除去する処理を施した第１，第２の前置信号ＳＷａ，ＳＷｂを生成してから、高速充電低速放電回路６，７でホールド処理を行うので、妨害波の影響を抑制した第１，第２の平滑信号Ｓma，Ｓmbを生成することができ、後段セレクタ回路８ｃで、第１，第２の平滑信号Ｓma，Ｓmbのうちレベルの小さい方の平滑信号を選択すると、正確なＳメータ信号ＳＭＴを生成することができる。【０１０３】
なお、本実施例では、下側サイドバンドＷＬ内に侵入した妨害波の有無を検出するための狭帯域フィルタ２とエンベロープ検出部４と前段セレクタ部８ａ及び高速充放電低速放電回路６を有する第１の系統と、上側サイドバンドＷＵ内に侵入した妨害波の有無を検出するための狭帯域フィルタ３とエンベロープ検出部５と前段セレクタ部８ｂ及び高速充放電低速放電回路７を有する第２の系統とから成る２つの系統を一組の（一対の）処理系統として備え、高速充放電低速放電回路６，７で生成される平滑信号Ｓma，Ｓmbのうちレベルの小さい方を、後段セレクタ部８ｃがＳメータ信号ＳＭＴとして選択する構成となっているが、変形例として、更に、同様の構成から成る処理系統を追加して備え、各処理系統の高速充放電低速放電回路で生成される平滑信号のうちレベルの最も小さい平滑信号を後段セレクタ部８ｃがＳメータ信号ＳＭＴとして選択する構成としてもよい。【０１０４】
そして、個々の処理系統における下側狭帯域フィルタと上側狭帯域フィルタの通過帯域幅が他の処理系統と互いに異なる周波数範囲となるように設定することで、より精密に、正確な受信感度を示すＳメータ信号ＳＭＴを生成することができる。【０１０５】
ただし、この変形例の場合にも、各々の処理系統における下側狭帯域フィルタと上側狭帯域フィルタの通過帯域幅には、少なくとも中心周波数（搬送周波数）ｆoが含まれようにし、且つ中心周波数ｆoを中心として対称な通過帯域幅となるように構成することが望ましい。更に、各々の下側狭帯域フィルタでは、上側サイドバンドＷＵに侵入する隣接妨害波を通過させず、且つ各々の上側狭帯域フィルタでは、下側サイドバンドＷＬに侵入する隣接妨害波を通過させないように通過帯域幅を決めればよい。
【図１】
0004650847.tif 000005
【図２】
0004650847.tif 000006
【図３】
0004650847.tif 000007
【図４】
0004650847.tif 000008
【図５】
0004650847.tif 000009
【図６】
0004650847.tif 000010